(57)【特許請求の範囲】
【請求項１】
ローカルユーザに関連付けられたデバイスによって、リモート照明システムが放射する光の１つ又は複数の特性がリアルタイムで公開されるリモート照明システムを識別することと、
前記デバイスによって、前記リモート照明システムによって放射される光の１つ又は複数の公開特性を取得することと、
リアルタイムに、前記デバイスによって、前記１つ又は複数の公開特性に基づいて、前記リモート照明システムによって同時期に放射された光に似た光を放射するようにローカル照明システムの１つ又は複数のＬＥＤに選択的に電圧印加を行うことを容易にすることと、を含み、
前記リモート照明システムによって放射される光の１つ又は複数の特性を、ソーシャルネットワーク上で公開することができ、前記デバイスのユーザインタフェースにおいて、前記リモート照明システムの発光アクティビティをフォローする命令を受信することを更に含む、
コンピュータ実施方法。
【請求項２】
前記デバイスによって、前記リモート照明システムによって放射される光の新しい公開特性を取得することを含む、請求項１に記載のコンピュータ実施方法。
【請求項３】
前記新しい公開特性に基づいて、前記リモート照明システムによって同時期に放射された光に似た光を放射するように、前記ローカル照明システムの前記１つ又は複数のＬＥＤに選択的に電圧印加を行うことを容易にすることを含む、請求項２に記載のコンピュータ実施方法。
【請求項４】
前記デバイスによって、光特性共有データを公開することを含み、前記光特性共有データは、前記ローカル照明システムによって放射された又は間もなく放射される光のローカル特性、及びアップロードされたデータへのアクセスを与えられる一人又は複数のリモートユーザの１つ又は複数の識別情報を含む、請求項１に記載のコンピュータ実施方法。
【請求項５】
前記光特性共有データは、第１のリモートユーザにアクセスできる、及び第２のリモートユーザにアクセスできない前記ローカル照明システムの第１の光源セットによって放射された又は間もなく放射される光の第１のローカル特性、並びに、第１のセットとは異なる前記ローカル照明システムの第２の光源セットによって放射された又は間もなく放射される光の第２のローカル特性を含み、前記第２のローカル特性は、前記第１のリモートユーザ及び前記第２のリモートユーザにアクセス可能である、請求項４に記載のコンピュータ実施方法。
【請求項６】
前記デバイスの通信インタフェースを用いて、前記ローカル照明システムによって放射された又は間もなく放射される光のローカル特性を表す生データを前記ローカル照明システムから受信することと、前記光特性共有データに前記生データを含めることとを含む、請求項４に記載のコンピュータ実施方法。
【請求項７】
前記デバイスに関連付けられた光センサによって、前記ローカル照明システムによって放射された光のローカル特性を検出することと、前記光特性共有データに検出された前記ローカル特性を表すデータを含めることとを含む、請求項４に記載のコンピュータ実施方法。
【請求項８】
前記デバイスに関連付けられたユーザインタフェースにおいて、前記ローカル照明システムにローカル特性を持つ光を放射させる要求を受信することと、前記ローカル照明システムに要求されたローカル光特性を持つ光を放射させることに並行して、前記光特性共有データに要求されたローカル光特性を表すデータを含めることとを含む、請求項４に記載のコンピュータ実施方法。
【請求項９】
前記リモート照明システムは、第１のリモート照明システムであり、ローカルユーザに関連付けられた前記デバイスによって、第２のリモート照明システムが放射する光の１つ又は複数の特性がリアルタイムで公開される前記第２のリモート照明システムを識別することと、
前記デバイスによって、前記第２のリモート照明システムによって放射される光の１つ又は複数の公開特性を取得することと、
前記デバイスによって、前記第１及び第２のリモート照明システムの両方によって放射される光の特性に基づいて、前記第１及び第２のリモート照明システムによって同時期に放射された光に似た光を放射するように前記ローカル照明システムの１つ又は複数のＬＥＤに選択的に電圧印加を行うことを容易にすることと、を含む、
請求項１に記載のコンピュータ実施方法。
【請求項１０】
前記選択的に電圧印加を行うことは、前記第１及び第２のリモート照明システムの一方によって放射される光の公開特性に対して、他方のリモート照明システムによって放射される光の公開特性よりもより多くの重みを割り当てることを含む、請求項９に記載のコンピュータ実施方法。
【請求項１１】
コンピューティングデバイスによる命令の実行に応答して、
前記コンピューティングデバイスに請求項１に記載の方法を実行させる前記命令を含む、少なくとも１つのコンピュータ可読媒体。
【請求項１２】
１つ又は複数のプロセッサ、前記１つ又は複数のプロセッサに動作可能に結合された通信インタフェース、及び前記１つ又は複数のプロセッサに動作可能に結合されたメモリを含む装置であって、
前記メモリは、前記１つ又は複数のプロセッサによる命令の実行に応答して、前記１つ又は複数のプロセッサに、前記通信インタフェースを用いてリモート照明システムによって放射される光を表すデータのリアルタイムフィードに加入させ、前記データのリアルタイムフィードに基づいて、前記リモート照明システムによって放射される光の１つ又は複数の特性とのローカル照明システムによって放射される光の１つ又は複数の特性のリアルタイム同期を容易にさせる命令を含み、
前記データのリアルタイムフィードは、ソーシャルネットワークのユーザに関連付けられる、装置。
【発明の詳細な説明】
【技術分野】
【０００１】
[0001]  本発明は、概して、照明制御を対象とする。より具体的には、本明細書に開示される様々な発明的方法及び装置は、照明システム間の放射光の特性の共有及び／又は同期に関する。
【背景技術】
【０００２】
[0002]  デジタル照明技術、即ち、発光ダイオード（ＬＥＤ）等の半導体光源に基づいた照明は、従来の蛍光、ＨＩＤ、及び白熱ランプに代わる実行可能な代替案を提供する。ＬＥＤの機能的利点及びメリットは、高いエネルギー変換及び光学効率、耐久性、より低い運転コスト、並びに多くの他のものを含む。ＬＥＤ技術における最近の進歩は、多くの応用例において様々な照明効果を可能にする効率的及びロバストなフルスペクトル照明源をもたらした。これらの照明源を組み入れた器具の幾つかは、例えば本明細書に援用される米国特許第６，０１６，０３８号及び同第６，２１１，６２６号に詳細に説明されるように、例えば、赤、緑、及び青といった異なる色を生成可能な１つ又は複数のＬＥＤ、並びに、様々な色及び色が変化する照明効果を生み出す為にＬＥＤの出力を独立して制御するプロセッサを含む照明モジュールを特徴とする。
【発明の概要】
【発明が解決しようとする課題】
【０００３】
[0003]  ネットワーク接続照明システムは、人が友達又は家族と照明設定、例えば、色相／色、温度、強度、彩度等の放射光の１つ又は複数の特性を共有することを可能にする。しかしながら、照明設定を共有する為の単純な又は使い易い解決策は存在しない。また、ユーザは、静的照明設定を共有できることが可能なだけである。ユーザは、リアルタイムで照明設定を共有することができず、ユーザは、彼らが彼らの照明設定を誰と共有するかを選択することもできない。従って、照明設定を共有する際に、ユーザにより多くの任意選択肢及び柔軟性を提供する必要性が当該分野において存在する。
【課題を解決するための手段】
【０００４】
[0004]  本開示は、照明制御の為の発明的方法及び装置に向けられる。例えば、ある照明システムによって放射される光の１つ又は複数の特性を、例えばデータフィードとして公開することができる。他の照明システムは、このデータフィードに基づいて、例えば、当該照明システムによって放射される光に似た光を放射するように選択的に照明を行うことによって、それらの放射光を当該照明システムによって放射される光と同期させることができる。
【０００５】
[0005]  一般的に、ある態様では、コンピュータ実施方法は、ローカルユーザに関連付けられたデバイスによって、リモート照明システムが放射する光の１つ又は複数の特性がリアルタイムで公開されるリモート照明システムを識別することと、デバイスによって、リモート照明システムによって放射される光の１つ又は複数の公開特性を取得することと、１つ又は複数の公開特性に基づいて、デバイスによって、リモート照明システムによって同時期に放射された光に似た光を放射するようにローカル照明システムの１つ又は複数のＬＥＤに選択的に電圧印加を行うことを容易にすることと、を含む。
【０００６】
[0006]  様々な実施形態において、本方法は、デバイスによって、リモート照明システムによって放射される光の新しい公開特性を取得することを含む。様々なバージョンにおいて、本方法は、新しい公開特性に基づいて、リモート照明システムによって同時期に放射された光に似た光を放射するように、ローカル照明システムの１つ又は複数のＬＥＤに選択的に電圧印加を行うことを容易にすることを含む。
【０００７】
[0007]  様々な実施形態において、リモート照明システムによって放射される光の１つ又は複数の特性を、ソーシャルネットワーク上で公開することができる。本方法は、デバイスのユーザインタフェースにおいて、リモート照明システムの発光アクティビティをフォローする命令を受信することを含む。様々な実施形態において、本方法は、デバイスによって、光特性共有データを公開することを含む。光特性共有データは、ローカル照明システムによって放射された又は間もなく放射される光のローカル特性、及びアップロードされたデータへのアクセスを与えられる一人又は複数のリモートユーザの１つ又は複数の識別情報を含む。様々なバージョンにおいて、光特性共有データは、第１のリモートユーザにアクセスできる及び第２のリモートユーザにアクセスできないローカル照明システムの第１の光源セットによって放射された又は間もなく放射される光の第１のローカル特性、並びに、第１のセットとは異なるローカル照明システムの第２の光源セットによって放射された又は間もなく放射される光の第２のローカル特性を含んでもよく、第２のローカル特性は、第１及び第２のリモートユーザにアクセス可能である。
【０００８】
[0008]  様々なバージョンにおいて、本方法は更に、デバイスの通信インタフェースを用いて、ローカル照明システムによって放射された又は間もなく放射される光のローカル特性を表す生データをローカル照明システムから受信することと、光特性共有データにこの生データを含めることとを含む。様々なバージョンにおいて、本方法は更に、デバイスに関連付けられた光センサによって、ローカル照明システムによって放射された光のローカル特性を検出することと、光特性共有データに検出されたローカル特性を表すデータを含めることとを含む。様々なバージョンにおいて、本方法は、デバイスに関連付けられたユーザインタフェースにおいて、ローカル照明システムにローカル特性を持つ光を放射させる要求を受信することと、ローカル照明システムに要求されたローカル光特性を持つ光を放射させることに並行して、光特性共有データに要求されたローカル光特性を表すデータを含めることとを含む。
【０００９】
[0009]  様々な実施形態において、リモート照明システムは、第１のリモート照明システムである。本方法は、そのような場合、ローカルユーザに関連付けられたデバイスによって、第２のリモート照明システムが放射する光の１つ又は複数の特性がリアルタイムで公開される第２のリモート照明システムを識別することと、デバイスによって、第２のリモート照明システムによって放射される光の１つ又は複数の公開特性を取得することと、デバイスによって、第１及び第２のリモート照明システムの両方によって放射される光の特性に基づいて、第１及び第２のリモート照明システムによって同時期に放射された光に似た光を放射するようにローカル照明システムの１つ又は複数のＬＥＤに選択的に電圧印加を行うことを容易にすることと、を含む。様々なバージョンにおいて、選択的電圧印加は、第１及び第２のリモート照明システムの一方によって放射される光の公開特性に対して、他方のリモート照明システムによって放射される光の公開特性よりもより多くの重みを割り当てることを含む。
【００１０】
[0010]  別の態様では、装置は、１つ又は複数のプロセッサ、１つ又は複数のプロセッサに動作可能に結合された通信インタフェース、及び１つ又は複数のプロセッサに動作可能に結合されたメモリを含む。メモリは、１つ又は複数のプロセッサによる命令の実行に応答して、１つ又は複数のプロセッサに、通信インタフェースを用いてリモート照明システムによって放射される光を表すデータのリアルタイムフィードに加入させる、及びデータのリアルタイムフィードに基づいて、リモート照明システムによって放射される光の１つ又は複数の特性とのローカル照明システムによって放射される光の１つ又は複数の特性のリアルタイム同期を容易にさせる命令を含む。
【００１１】
[0011]  様々な実施形態において、データのリアルタイムフィードは、ソーシャルネットワークのユーザに関連付けられる。様々なバージョンにおいて、メモリは、１つ又は複数のプロセッサによる命令の実行に応答して、１つ又は複数のプロセッサに、ソーシャルネットワーク上のソーシャルネットワークユーザによる発光更新情報をフォローさせる命令を更に含む。
【００１２】
[0012]  別の態様では、装置は、１つ又は複数のプロセッサ、１つ又は複数のプロセッサに動作可能に結合された通信インタフェース、及び１つ又は複数のプロセッサに動作可能に結合されたメモリを含む。メモリは、１つ又は複数のプロセッサによる命令の実行に応答して、１つ又は複数のプロセッサに、通信インタフェースを用いて光特性共有データをリモートコンピューティングシステムにアップロードさせる命令を含んでもよく、光特性共有データは、ローカル照明システムによって放射された又は間もなく放射される光のローカル特性及びアップロードされたデータへのアクセスを与えられる一人又は複数のリモートユーザの１つ又は複数の識別情報を含む。
【００１３】
[0013]  様々な実施形態において、光特性共有データは、光特性共有データの１つ又は複数のプッシュ宛先アドレスを含む。様々な実施形態において、命令は、１つ又は複数のプロセッサによる命令の実行に応答して、１つ又は複数のプロセッサに更に、通信インタフェースを用いて、ローカル照明システムによって放射された又は間もなく放射される光のローカル特性を表す生データをローカル照明システムから受信させ、光特性共有データにこの生データを含めさせる。
【００１４】
[0014]  様々な実施形態において、本装置は、１つ又は複数のプロセッサに動作可能に結合された光センサを含む。そのような実施形態の幾つかにおいて、命令は、１つ又は複数のプロセッサによる命令の実行に応答して、１つ又は複数のプロセッサに更に、光センサを用いてローカル照明システムによって放射された光のローカル特性を検出させ、検出されたローカル特性を表すデータを光特性共有データに含めさせる。
【００１５】
[0015]  様々な実施形態において、本装置は、ユーザインタフェースを含んでもよい。命令は、１つ又は複数のプロセッサによる命令の実行に応答して、１つ又は複数のプロセッサに更に、ユーザインタフェースにおける要求の受信に応答して特性を持つ光をローカル照明システムに放射させてもよく、その光の放射に並行して、通信インタフェースを用いて光特性共有データをリモートコンピューティングシステムに送信させる。
【００１６】
[0016]  本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。
【００１７】
[0017]  例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００１８】
[0018]  なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、あるタイプのケーシング及び／又は光学的要素（例えば拡散レンズ）を含むＬＥＤ等を指す。
【００１９】
[0019]  「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ及びメタルハライドランプ）などを含む、様々な放射源のうちの任意の１つ以上を指すと理解すべきである。
【００２０】
[0020]  所与の光源は、可視スペクトル内、可視スペクトル外、又は両者の組合せでの電磁放射を発生する。したがって、「光」及び「放射」との用語は、本明細書では同義で使用される。さらに、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００２１】
[0021]  「スペクトル」との用語は、１つ以上の光源によって生成された放射の任意の１つ以上の周波数（又は波長）を指すものと理解すべきである。したがって、「スペクトル」との用語は、可視範囲内の周波数（又は波長）のみならず、赤外線、紫外線、及び電磁スペクトル全体の他の領域の周波数（又は波長）も指す。さらに、所与のスペクトルは、比較的狭い帯域幅（例えば、ＦＷＨＭは、基本的に、周波数又は波長成分をほとんど有さない）、又は、比較的広い帯域幅（様々な相対強度を有する幾つかの周波数又は波長成分）を有してよい。当然のことながら、所与のスペクトルは、２つ以上の他のスペクトルを混合（例えば、複数の光源からそれぞれ放射された放射を混合）した結果であってよい。
【００２２】
[0022]  本開示の目的で、「色」との用語は、「スペクトル」との用語と同義に使用される。しかし、「色」との用語は、通常、観察者によって知覚可能である放射の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。さらに、当然のことながら、「色」との用語は、白色光及び非白色光の両方との関連で使用されてもよい。
【００２３】
[0023]  「色温度」との用語は、本明細書では、通常、白色光に関連して使用されるが、その使用は、当該用語の範囲を限定することを意図していない。色温度は、基本的に、白色光の特定の色内容又は陰（例えば、赤みを帯びた、青みを帯びた）を指す。所与の放射サンプルの色温度は、従来から、問題とされている放射サンプルと同じスペクトルを基本的に放射する黒体放射体のケルビン度数（Ｋ）の温度に応じて特徴付けられている。黒体放射体の色温度は、通常、約７００度Ｋ（通常、人間の目に最初に可視となると考えられている）から１０，０００度Ｋ超の範囲内であり、白色光は、通常、約１５００〜２０００度Ｋより高い色温度において知覚される。
【００２４】
[0024]  「照明固定具」、「照明器具」との用語は、本明細書では、特定の形状因子、アセンブリ又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００２５】
[0025]  「コントローラ」との用語は、本明細書では、一般に、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００２６】
[0026]  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられる。幾つかの実施態様において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指して使用される。
【００２７】
[0027]  「アドレス可能」との用語は、本明細書では、自分自身を含む複数のデバイスに向けた情報（例えばデータ）を受信して、自分自身に向けられた特定の情報に選択的に応答するデバイス（例えば、光源全般、照明ユニット又は固定具、１つ以上の光源若しくは照明ユニットに関連付けられたコントローラ又はプロセッサ、他の非照明関連デバイス等）を指すために使用される。「アドレス可能」との用語は、多くの場合、ネットワークで結ばれた環境（すなわち、以下に詳細に説明される「ネットワーク」）に関連して使用され、ネットワークで結ばれた環境では、複数のデバイスが何らかの１つ以上の通信媒体を介して互いに結合されている。
【００２８】
[0028]  １つのネットワーク実施態様では、ネットワークに結合された１つ以上のデバイスが、当該ネットワークに結合された１つ以上の他のデバイスのコントローラとしての機能を果たす（例えばマスタ／スレーブ関係において）。別の実施態様では、ネットワークで結ばれた環境は、当該ネットワークに結合されたデバイスのうちの１つ以上を制御する１つ以上の専用コントローラを含む。通常、ネットワークに結合された複数のデバイスは、それぞれ、１つ以上の通信媒体上にあるデータへのアクセスを有するが、所与のデバイスは、例えば、当該デバイスに割り当てられた１つ以上の特定の識別子（例えば「アドレス」）に基づいて、ネットワークとデータを選択的に交換する（すなわち、ネットワークからデータを受信する及び／又はネットワークにデータを送信する）点で、「アドレス可能」である。
【００２９】
[0029]  「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちの何れかを含み、様々な通信プロトコルのうちの何れかを使用することができる。さらに、本開示による様々なネットワークにおいて、２つのデバイス間の接続はいずれも、２つのシステム間の専用接続を表わすか、又は、これに代えて非専用接続を表わしてもよい。２つのデバイス用の情報を担持することに加えて、当該非専用接続（例えばオープンネットワーク接続）は、必ずしも２つのデバイス用ではない情報を担持することがある。さらに、容易に理解されるように、本明細書で説明されたデバイスの様々なネットワークは、ネットワーク全体に亘る情報の転送を容易にするために、１つ以上のワイヤレス、ワイヤ／ケーブル、及び／又は光ファイバリンクのリンクを使用できる。
【００３０】
[0030]  「ユーザインターフェース」との用語は、本明細書において使用される場合、人間であるユーザ又はオペレータと、当該ユーザとデバイス間の通信を可能にする１つ以上のデバイスとの間のインターフェースを指す。本開示の様々な実施態様に使用されてもよいユーザインターフェースの例は、次に限定されないが、スイッチ、電位差計、ボタン、ダイアル、スライダ、マウス、キーボード、キーパッド、様々なタイプのゲームコントローラ（例えばジョイスティック）、トラックボール、ディスプレイスクリーン、様々なタイプのグラフィカルユーザインターフェース（ＧＵＩ）、タッチスクリーン、マイクロホン、及び、人間が生成した何らかの形の刺激を受信し、それに応答して信号を生成する他のタイプのセンサを含む。
【００３１】
[0031]  「照明設定」との用語は、本明細書で使用される場合、照明システムの複数の光源により収集的に放射される光のような、１つ以上の光源により放射される光の１つ以上の特性を指す。「放射される光の特性」（「光特性」又は「照明特性」とも呼ばれる）は、限定するわけではないが、ヒュー、輝度、強度、飽和度、ダイナミック効果（例えば、フラッシュ、種々の方向への光の指示等）などを含む、１つ以上の光源により放射される光の任意の選択可能な特徴を指す。
【００３２】
[0032]  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書にて明示的に使用される用語には、本明細書に開示される特定の概念と最も整合性のある意味が与えられるべきであることを理解すべきである。
【図面の簡単な説明】
【００３３】
[0033]  図面中、同様の参照符号は、全般的に様々な図を通して同じ部分を指している。さらに、図面は必ずしも縮尺通りではなく、重点は全体的に本発明の原理の説明に置かれている。
【００３４】
【図１】[0034]  様々な実施形態による、照明システム間で光特性の共有を容易にする為に協働することができる構成要素例を模式的に示す。
【図２】[0035]  様々な実施形態による、図１の様々な構成要素間で生じ得る通信例を示す。
【図３】[0036]  様々な実施形態による方法例を示す。
【図４】[0036]  様々な実施形態による方法例を示す。
【図５】[0037]  様々な実施形態による、コンピューティングデバイス例の構成要素を模式的に示す。
【発明を実施するための形態】
【００３５】
[0038]  ネットワーク接続照明システムは、人が友達又は家族と照明設定、例えば、色相／色、温度、強度、彩度等の放射光の１つ又は複数の特性を共有することを可能にする。しかしながら、照明設定を共有する為の単純な又は使い易い解決策は存在しない。また、ユーザは、静的照明設定を共有できることが可能なだけである。ユーザは、リアルタイムで照明設定を共有することができず、ユーザは、彼らが誰と彼らの照明設定を共有するかを選択することもできない。従って、照明設定を共有する際に、ユーザにより多くの任意選択肢及び柔軟性を提供する必要性が当該分野において存在する。上記を考慮して、本発明の様々な実施形態及び実施態様が、リアルタイムで及び／又は選択されたユーザと、照明システム間で放射光の特性を共有することに向けられる。
【００３６】
[0039]  図１を参照して、ある実施形態では、第１の「ローカル」照明システム１００は、ローカルブリッジ１０２及び図１では複数のＬＥＤ１０４ａ〜ｎとして描かれる複数の光源を含み得る。ローカルブリッジ１０２は、複数のＬＥＤ１０４ａ〜ｎと通信する及び複数のＬＥＤ１０４ａ〜ｎの制御を容易にするように構成されたコンピューティングデバイス又はコンピューティングシステムでもよい。ローカルブリッジ１０２は、限定されることはないが、ＷｉＦｉ（登録商標）、Bluetooth（登録商標）、ZigBee（登録商標）、ＲＦＩＤ、ＮＦＣ、Ethernet（登録商標）、符号化光（例えば、変調情報を搬送する放射光）等を含む様々な有線又は無線技術を用いて、複数のＬＥＤ１０４ａ〜ｎと通信することができる。
【００３７】
[0040]  様々な実施形態において、ユーザ（不図示）は、ローカルブリッジ１０２を操作して、複数のＬＥＤ１０４ａ〜ｎの１つ又は複数に選択的に電圧を加えることができる。例えば、図１では、タブレットコンピュータ１０６は、例えばＷｉＦｉ（登録商標）、Bluetooth（登録商標）、ZigBee（登録商標）等を用いて、ローカルブリッジ１０２と通信し、照明システム１００によって放射される光の１つ又は複数の特性を制御する為にユーザが操作することができるユーザインタフェースを（例えば、タッチスクリーンディスプレイ上に）設けてもよい。タブレットコンピュータは図１に図示されているが、これは、限定的なものではない。限定されることはないが、スマートフォン、ラップトップコンピュータ、スタンドアロンデバイス、ウェアラブルデバイス、壁取り付け式デバイス等を含む任意のネットワーク化デバイスが、照明システム１００を制御するローカルブリッジ１０２と通信する為に使用され得ることを理解されたい。複数のＬＥＤ１０４ａ〜ｎによって放射される光の特性は、直接的に（例えば、ある特定のＬＥＤによって放射される光の色若しくは輝度を変えることによって）、又はレンズ、コリメータ等の様々な光学素子によって間接的に制御されてもよい。
【００３８】
[0041]  リモート照明システム１１０は、ローカル照明システム１００と同様の構成要素を含んでもよい。例えば、図１では、リモート照明システム１１０は、リモートブリッジ１１２及びここでも複数のＬＥＤ１１４ａ〜ｎとして描かれる複数の光源を含む。スマートフォン１１６の形態のコンピューティングデバイスが、リモート照明システム１１０を制御するリモートブリッジ１１２と通信する為に使用できるとして描かれている。本明細書に記載される照明システムは、白熱灯等の他の種類の光源を有していてもよいことを理解されたい。また、「ローカル」照明システム１００及び「リモート」照明システム１１０はそれぞれ、ローカル照明システム１００に関連付けられたユーザの観点からそのように名付けられている。代わりに、リモート照明システム１１０に関連付けられたユーザの観点から実施形態が記載される場合は、当然これらの用語は逆となる。
【００３９】
[0042]  ローカル照明システム１００及びリモート照明システム１１０、並びにタブレットコンピュータ１０６及びスマートフォン１１６は、１つ又は複数のコンピューティングネットワーク１２０を介して互いに及び他の構成要素と通信可能であってもよい。１つ又は複数のコンピューティングネットワーク１２０は、１つ又は複数のローカルエリアネットワーク及びインターネットを含む広域ネットワークを含んでもよい。
【００４０】
[0043]  様々な実施形態において、ソーシャルネットワーク１２２コンピューティングシステムは、１つ又は複数のコンピューティングネットワーク１２０に接続されてもよい、及びソーシャルネットワークを実現するように構成された１つ又は複数のコンピュータを含んでもよい。本明細書に記載されるように、様々な実施形態において、ソーシャルネットワーク１２２は、ソーシャルネットワークユーザによって、例えばリアルタイムで、彼らの間で照明設定を共有する為に使用することができる。
【００４１】
[0044]  追加的又は代替的に、様々な実施形態において、光共有サービスコンピューティングシステム１２４もまた、１つ又は複数のコンピューティングネットワーク１２０に接続されてもよい、並びに、ローカル照明システム１００及びリモート照明システム１１０等の複数の照明システム間で、照明設定のリアルタイム共有を容易にするように構成されてもよい。実施形態によっては、光共有サービス１２４は、例えばタブレットコンピュータ１０６又はスマートフォン１１６等のデバイスを用いて、ユーザが自分の照明設定をリアルタイムで公開させる及び／又は他のユーザの照明設定をリアルタイムでフォローする為にログインすることができる専用光共有ポータルを提供することができる。
【００４２】
[0045]  図２は、様々な実施形態による、図１の様々な構成要素間で生じ得る通信例を示す。時間は頁の下方へ流れるが、一定の縮尺で表されておらず、これは、様々な時間量が様々な通信間で経過し得ることを意味する。
【００４３】
[0046]  図２の第１の通信は、スマートフォン１１６からソーシャルネットワーク１２２へのものであり、ここで、スマートフォン１１６は、１つ又は複数のＬＥＤ１１４の照明設定がデータフィードとして、例えば、ソーシャルネットワークステータスアップデート又はブログ記事として公開されることを要求する。実施形態によっては、ユーザは、様々な粒度レベルで、どのソーシャルネットワークコンタクト又は他のユーザが当該ユーザーの公開された照明設定にアクセスできるかを選択可能であってもよい。例えば、ユーザは、家族メンバーは当該ユーザーの家の全てのライトにアクセスできるべきであるが、知人は、特定のライト（例えば、特定の部屋の中、屋外等）へのアクセスのみが与えられることを指定することができる。
【００４４】
[0047]  例えば、第１のユーザが、ソーシャルネットワーク上で、当該ユーザーのリモート照明システム１１０（彼にとってローカル、照明システム１００の観点からリモート）の照明設定を公開したいと仮定する。第１のユーザは、スマートフォン１１６を操作して、照明デバイス、照明デバイスグループ（例えば、２つ以上のＬＥＤ１１４）、又は照明シーン若しくはプログラムを表すアイコンを特定のソーシャルネットワークのグラフィック表示上にドラッグすることができる。実施形態によっては、これは、第１のユーザ自身の照明システムによって放射される光の変更がどの程度正確にソーシャルネットワークに反映されるべきであるか、例えば、色のテキスト表示が掲示されるか否か、又は当該ユーザーの照明システムの色が予め設定された若しくはユーザ定義のソーシャルネットワークムードに関連付けられるか否かを当該ユーザーが定義することを可能にする追加メニューをポップアップさせることができる。
【００４５】
[0048]  図２を再び参照して、暫く後に、タブレットコンピュータ１０６は、公開された照明設定を求める連絡をソーシャルネットワーク１２２に送信し得る。ソーシャルネットワーク１２２は、後にタブレットコンピュータ１０６によって例えばタッチスクリーンディスプレイ上にレンダリングすることができる、ユーザのソーシャルネットワークコンタクト（時に、「友達」、「フォロワー」、「コンタクト」、又は「コネクション」と呼ばれる）のリストで応答することができる。実施形態によっては、ソーシャルネットワーク１２２（又はタブレットコンピュータ１０６）は、積極的に照明設定を共有しているソーシャルネットワークコンタクトに対して、これらのソーシャルネットワークコンタクトをフィルタリングしてもよい。他の実施形態では、タブレットコンピュータ１０６上のソーシャルネットワークアプリケーションは、ユーザのソーシャルネットワークコンタクトの全てを受信してもよい、及び例えば特別な記号又はフォントを用いて、照明設定を共有するソーシャルネットワークコンタクトを、照明設定を共有しないコンタクトよりも視覚的に強調されるようにレンダリングしてもよい。ユーザは、その後、ソーシャルネットワークアプリケーションを操作して、ユーザがフォローしたい一人又は複数の照明設定共有コンタクトの選択をソーシャルネットワーク１２２に提供することができる。
【００４６】
[0049]  第１のユーザが、当該ユーザーの第１の照明システムに第２のユーザの第２の照明システムをフォローさせることを望むと仮定する。第１のユーザは、タブレットコンピュータ１０６を操作して、当該ユーザーのローカル照明システム１００を表すアイコンを第２のユーザに関連付けられたソーシャルネットワークグラフィックアイコン上にドラッグすることができる。実施形態によっては、これは、例えば、第１のユーザ自身の照明システムにおいて、又は第１のユーザのソーシャルネットワークアプリケーション上で、第２の照明システムによって放射される光の変更がどの程度正確に反映されるべきであるかを第１のユーザが定義することを可能にする追加メニューをポップアップさせることができる。例えば、第１のユーザは、第１のユーザ自身の照明システムのどの照明デバイスが、第２の照明システムによって放射される光の変更に反応するべきかを設定する能力が与えられてもよい。ユーザは、たった１つの特定の接続ランプがこれらの変更をフォローすること、又はある特定の部屋若しくはエリアの照明デバイスセット全てがこれらの変更をフォローすることを指示することができる。
【００４７】
[0050]  暫く後に、ユーザは、スマートフォン１１６を操作して、ＬＥＤ１１４によって放射される光の１つ又は複数の特性を変更する要求をリモートブリッジ１１２に送信し得る。リモートブリッジ１１２は、次に、要求された特性を持つ光をＬＥＤ１１４に放射させる１つ又は複数の制御信号を生成する及び１つ又は複数のリモートＬＥＤ１１４に対して送信し得る。並行して、スマートフォン１１６は（例えば、インストールされたスマートフォンアプリケーションによって）、例えばソーシャルネットワーク１２２を介して、タブレットコンピュータ１０６に光特性共有データをアップロードし得る。様々な実施形態において、光特性共有データは、リモート照明システム１１０によって放射された又は間もなく放射される光の１つ又は複数のローカル特性、及びアップロードされたデータへのアクセスを与えられる一人又は複数のリモートユーザの１つ又は複数の識別情報を含んでもよい。実施形態によっては、光特性共有データは、光特性共有データの１つ又は複数のプッシュ宛先アドレスを含んでもよい。
【００４８】
[0051]  実施形態によっては、ユーザは、当該ユーザーのローカル照明システムによって放射される特性を選択的に公開可能であってもよい。例えば、ユーザは、照明システムの一部の光源によって放射される特性にアクセスできる及び／又はそれらを受信するべき一部のリモートユーザ（例えば、ソーシャルネットワーク上に示される親しい友達、家族）並びに照明システムの他の光源によって放射される特性にアクセスできる及び／又はそれらを受信するべき他のリモートユーザ（例えば、ちょっとした知人）を選択することができる。例えば、光特性共有データは、第１のリモートユーザにアクセスできる及び第２のリモートユーザにアクセスできないローカル照明システムの第１の光源セットによって放射された又は間もなく放射される光の第１のローカル特性、並びに、第１のセットとは異なるローカル照明システムの第２の光源セットによって放射された又は間もなく放射される光の第２のローカル特性を含んでもよく、第２のローカル特性は、第１及び第２のリモートユーザにアクセス可能である。このようにして、ユーザは、当該ユーザーが個人用又は私的と考える光源によって放射される光が、当該ユーザーが信頼する人々とのみ共有されることを保証することができる。
【００４９】
[0052]  別の例として、実施形態によっては、ユーザは、第１の遅延後に（例えば、直ちに）照明システムによって放射される特性にアクセスできる及び／又はそれらを受信するべき一部のリモートユーザ（例えば、ソーシャルネットワーク上に示される親しい友達、家族）を選択可能であってもよい。ユーザは、ある所定の又はランダムな遅延の後に、照明システムによって放射される特性にアクセスできる及び／又はそれらを受信するべき他のリモートユーザ（例えば、ちょっとした知人、信頼できない友達）を選択可能であってもよい。
【００５０】
[0053]  リモート照明システム１１０によって放射された又は間もなく放射される光の特性は、図２のスマートフォン１１６によって、リモート照明システム１１０によって放射された又は間もなく放射される光のユーザ選択特性を表す生データとして提供されてもよい、及びリモート照明システム１１０上でのそれらの特性の実現と同時に提供されてもよい。但し、これは限定的なものではない。他の実施形態では、スマートフォン１１６及び／又はリモートブリッジ１１２は、光特性共有データ中に含める為に、リモート照明システム１１０によって放射された光の特性を検出するように構成された光センサを含んでもよい。追加的又は代替的に、リモートブリッジ１１２は、例えば光特性共有データ中に含める為に、実際の照明設定に該当する生データをスマートフォン１１６に送信してもよい。
【００５１】
[0054]  光特性共有データがソーシャルネットワーク１２２にアップロードされた後、それは、タブレットコンピュータ１０６に提供（例えば、プッシュ）されてもよい。例えば、ソーシャルネットワークアプリケーションがタブレットコンピュータ１０６上で能動的に実行中である場合、光特性共有データは、それがソーシャルネットワーク１２２で受信された後に、直ちにタブレットコンピュータ１０６にプッシュされてもよい。但し、実施形態によっては、タブレットコンピュータ１０６のユーザがソーシャルネットワークアプリケーションを能動的に使用していない場合には、それは、ユーザが現時点ではリモート照明システム１１０の照明設定を「フォローする」ことを望んでいないことを示し得る。
【００５２】
[0055]  タブレットコンピュータ１０６が能動的にスマートフォンアプリケーションを実行中であると仮定した場合、タブレットコンピュータ１０６は、リモート照明システム１１０によって同時期に放射された光に似た光を放射するように、ローカル照明システム１００の１つ又は複数のＬＥＤ１０４に選択的に電圧を加えることを容易にすることができる。例えば、タブレットコンピュータ１０６は、リモート照明システム１１０によって同時期に放射された光に似た光を１つ又は複数のＬＥＤ１０４に放射させる要求を、例えばローカルブリッジ１０２に送信することができる。ローカルブリッジ１０２は、次に、１つ又は複数の適切な制御信号を生成する及びローカルＬＥＤ１０４に対して提供することができる。
【００５３】
[0056]  恐らく、照明設定を共有する２つの照明システムは、全く同じには構成されないであろう。例えば、一方の照明システムは、他方よりも多い若しくは少ない光源、又はより多い若しくはより少ない機能を持つ光源（例えば、ＬＥＤは、例えば白熱電球よりも多くの機能を持つ）を有し得る。従って、第１の照明システムにとって、第２の照明システムによって放射される光に「似た」光を放射することは、第１の照明システムが、第２の照明システムによって放射される光を真似る、模倣する、又は再現する為に最善を尽くすことを意味し得る。
【００５４】
[0057]  第１の照明システムは、各々がある特定の性質（例えば色）を持つ光を作り出す複数の光源を含む場合があり、第２の照明システムは、より少ない数の光源を含む場合がある又は複数の照明効果（例えば複数の色）を作り出すように構成された単一の光源を有する。例えば、第１の照明システムは、赤色及び黄色光を放射可能であるが、オレンジ光は放射できないＬＥＤを有すると仮定する。第２の照明システムは、オレンジ光を放射するＬＥＤを有すると仮定する。第１の照明システムは、第１の照明システムがオレンジ光を放射できないことから、第２の照明システムをそのまま模倣することはできないが、それは、オレンジ光に近づける為に赤色光及び黄色光を同時に放射することができる。
【００５５】
[0058]  実施形態によっては、作り出される照明効果の類似性を達成する為に、第１の照明システムは、全体で総合的光効果をもたらす様々な部分的光効果に関する空間情報を共有してもよい。例えば、第１の照明システムは、それが青色アップライト及び白色ダウンライトを含むことを共有し得る。この情報は、照明システム自体によって（例えば、ブリッジ１０２若しくは１１２を用いて）、又は照明システムによって放射された光をモニタリングするように構成された１つ若しくは複数の光センサによって入手することができる。
【００５６】
[0059]  本明細書に使用されるように、「リアルタイム」は、該当する場合もあるが、必ずしも「直ちに」を指すわけではない。より正確に言えば、「リアルタイム」は、より広く、照明システム間の同期を指す。例えば、「リアルタイム」は、第１の照明システムによって放射される光の変更に応答して、どのように第１の照明システムの照明設定を第２の照明システムに提供することができるかを指す為に使用され得る。加えて、「リアルタイム」は、第２の照明システムが、第１の照明システムによる同時期の（例えば、同じ時間間隔中、少なくとも部分的に同時に）光に似た光を放射することによって応答することを指し得る。「リアルタイム」はまた、実際には照明システムが正確には同期していない（例えば、それの光出力を他方の光出力と同期させる一方の照明システム間に多少の遅延が存在し得る）としても、照明システム間の試みられた同期を指し得る。従って、「リアルタイム」は、少なくとも多少の遅延を含み得る。
【００５７】
[0060]  例えば、リモートユーザが自分の照明設定を変更する及びそれらが公開されるとしても、このリモートユーザの照明設定をフォローするローカルユーザは、必ずしもそれらのリモート照明設定を直ちに取得しない場合がある。リモート照明設定は、ローカルユーザが実際にソーシャルネットワークにログインするまでは、ローカルユーザのタブレットコンピュータ１０６にはプッシュされなくてもよい（このようにして、他人の照明設定をフォローすることが、特定のユーザにとって個人的なものになる）。あるいは、リモート照明システムの光が変更された時に、ローカルユーザは、ローカル照明システム１００から離れている場合がある。そのような場合、タブレットコンピュータ１０６は、ユーザが帰宅するまで（この時点で、リモートユーザは、その間にも自分の照明設定を再度変更している場合がある）、リモート照明設定の取得を試みなくてもよい。
【００５８】
[0061]  場合によっては、ユーザは、自分のローカル照明設定の遅延公開を望む場合がある。例えば、当該ユーザーは、自分が家にいないことを潜在的侵入者に知らせることを避ける為に、自分のライトが全て消えているという事実の公開を遅らせることを望む場合がある。そのような場合、当該ユーザーは、自分のローカルコンピューティングデバイス（例えば、タブレット１０６又はスマートフォン１１６）を操作して、自分の照明システムに関連付けられた光特性共有データをある予め設定された（又はランダムな）遅延の後にのみ公開させることができる。
【００５９】
[0062]  図３は、様々な実施形態による、例えばタブレットコンピュータ１０６又はスマートフォン１１６によって実施することができる方法例３００を示す。ブロック３０２では、照明設定が公開されたリモート照明システムを識別することができる。例えば、タブレットコンピュータ１０６上でソーシャルネットワークアプリケーションを操作しているユーザは、当該ユーザーの友達のリストを閲覧することができる及び当該ユーザーの制御下の照明システムによって放射される光の特性を共有する人を識別することができる。
【００６０】
[0063]  ブロック３０４では、ブロック３０２で識別された照明システムの１つ又は複数の公開照明設定を取得することができる。例えば、ユーザは、当該ユーザーの友達が自分の照明設定を変える度に、ローカルユーザが更新情報を受信する（例えばプッシュされる）ことができるように、ソーシャルネットワークアプリケーションを操作して、当該ユーザーの友達の制御下のリモート照明システムの照明設定を「フォローする」ことができる。
【００６１】
[0064]  ブロック３０６では、リモート照明システム（例えば、リモート照明システム１１０）によって放射される光に似た光を放射するようにローカル照明システムの光源（例えば、ローカル照明システム１００のＬＥＤ１０４）に選択的に電圧を加えることは、例えば、ブロック３０４で取得された公開照明設定に基づいて容易にすることができる。例えば、ユーザの友達が、彼の照明システムを例えばロマンチックな設定を目的として柔らかな照明を放射するように変更した場合、タブレットコンピュータ１０６は、ローカル照明システム１００がこのロマンチックな照明を真似る要求をローカルブリッジ１０２に送信することができる。
【００６２】
[0065]  図４は、様々な実施形態による、例えばタブレットコンピュータ１０６又はスマートフォン１１６によって実施することができる別の方法例４００を示す。ブロック４０２では、ローカル照明システム（例えば１００）によって放射された又は間もなく放射される光のローカル特性を決定することができる。例えば、タブレットコンピュータ１０６におけるローカル照明システム１００の照明設定を変更するというユーザの要求は、所望のローカル照明特性を決定する為に傍受されてもよい。あるいは、タブレットコンピュータ１０６上の光センサが、ローカル照明設定を検出してもよい。ブロック４０４では、１つ又は複数の決定されたローカル特性は、例えば、光特性共有データへのアクセスが与えられるリモートユーザ（例えば、ソーシャルネットワークコンタクト）の１つ又は複数の識別情報と共に、光特性共有データに組み入れることができる。ブロック４０６では、光特性共有データをリモートコンピューティングデバイス（これに対して、他のデバイスは、他の照明システムがアクセスできることを制御できない）にアップロードすることができる。例えば、タブレットコンピュータ１０６上のソーシャルネットワークアプリケーションは、ローカル照明システム１００によって放射される光の照明設定が、ユーザのソーシャルネットワークページ上に掲示されるように、それらをソーシャルネットワーク１２２にアップロードすることができる。
【００６３】
[0066]  本明細書に記載される例は、一般的に、照明設定が、ソーシャルネットワーク上で交換されることに言及しているが、これは限定的なものではない。図１を再び参照して、どのソーシャルネットワークにも所属していない光共有サービス１２４が、照明システムが照明設定を共有する為の別の手段となり得る。例えば、タブレットコンピュータ１０６及びスマートフォン１１６を用いて照明設定を共有する代わりに、様々な実施形態において、ブリッジ１０２及び１１２は、例えば１つ又は複数のコンピューティングネットワーク１２０上で光共有サービス１２４と通信するように構成されてもよい。ユーザは、例えばタブレットコンピュータ１０６を用いて、ローカルブリッジ１０２にリモート照明システム１１０の照明設定を「フォローする」ように指示することができる。リモート照明システム１１０がそれの照明設定を変更した場合、リモートブリッジ１１２は、光共有サービス１２４に自動的に知らせることができる。ローカルブリッジがリモート照明システム１１０を「フォローしている」と仮定すると、ローカルブリッジ１０２は、この変更を検出することができる及びリモート照明システム１１０によって同時期に放射された光に似た光を１つ又は複数のＬＥＤ１０４に放射させることができる。このような実施形態の幾つかでは、ユーザは、ローカルブリッジ１０２又はリモートブリッジ１１２等の特定のブリッジの制御下で、光源グループ（例えば、ＬＥＤ１０４ａ〜ｎ、１１４ａ〜ｎ）の固有の識別子を定義することができる。ローカルブリッジ１０２は、この識別子をローカルブリッジ１０２のネットワークアドレス（例えば、ＩＰアドレス）と共に光共有サービス１２４に送信することができる。光共有サービス１２４のユーザは、互いの照明システムスキームをフォローする為に、固有の識別子を交換可能であってもよい。このようにして、ユーザは、自分の家庭内の異なるランプに、自分の家庭内のある特定の照明システムの照明設定をフォローさせることさえできる。
【００６４】
[0067]  他の実施形態では、照明システムは、照明設定をより直接的に交換することができる。例えば、ローカルブリッジ１０２及びリモートブリッジ１１２は、例えば１つ又は複数のコンピューティングネットワーク１２０上で、互いに直接通信するように構成されてもよい。ユーザは、例えばタブレットコンピュータ１０６を用いて、ローカルブリッジ１０２にリモート照明システム１１０の照明設定を「フォローする」ように指示することができる。ローカルブリッジ１０２がリモート照明システム１１０を「フォローしている」と仮定すると、リモート照明システム１１０がそれの照明設定を変更した時に、リモートブリッジ１１２は、自動的にローカルブリッジ１０２に知らせることができる。それに応じて、ローカルブリッジ１０２は、リモート照明システム１１０によって同時期に放射された光に似た光を１つ又は複数のＬＥＤ１０４に放射させることができる。
【００６５】
[0068]  実施形態によっては、ユーザは、特定のリモートグループ又は場所との特定の形態の直接的通信の間に、当該ユーザーのローカル照明システムが自動的にリモート照明システムのフォローを開始するように、当該ユーザーのローカル照明システムを構成することができる。例えば、ローカル照明システム１００によって照明が行われる場所に位置するグループが、リモート照明システム１１０によって照明が行われる場所に位置するグループとテレビ会議を開催することを望むと仮定する。会議通話が２つの場所間で開始されると、それぞれのブリッジも、照明設定を共有する為に通信することができる。実施形態によっては、一方の照明システムのユーザは、その照明システムに他方の照明システムによって同時期に放射された光の１つ又は複数の特性を持つ光を放射させる「照明シーン追加」ボタンを押すことができる。照明設定は、ソーシャルネットワーク１２２又は光共有サービス１２４を介して等、様々な方法で交換することができる。実施形態によっては、照明設定は、ビデオ又はオーディオ信号に含まれるメタデータストリームで符号化することができる。
【００６６】
[0069]  ビデオ会議に関与する２つ以上の照明システムの照明設定は、様々な方法で、融合、統合、混合、又は相互作用が行われてもよい。一例として、ローカル照明システム１００によって放射される光が比較的暗い、且つリモート照明システム１１０によって放射される光が比較的明るい場合には、双方が他方に類似した特性を持つように、ローカル照明システム１００が、それの放射光を明るくしてもよい、又はリモート照明システム１１０が、それの光を暗くしてもよい。あるいは、２つの照明システムが共に、それらが放射する光をその中間辺りに調節することができる。別の例として、一方の場所では夜間であるが、他方の場所では昼間であると仮定する。両方の場所のグループが、２つの場所間の時差に気を散らされる又は気を取られることがないように、夜間の場所における照明システムは、それが放射する光を、昼間の照明システムによって放射される光に似るように調節してもよい。様々な実施形態において、一方又は両方の照明システムがローカルに制御可能であってもよい、及び他方が、自動的にあらゆる変更に対応してもよい。実施形態によっては、ビデオ会議の終わりに、照明システムは、元の照明設定に戻ることができる。
【００６７】
[0070]  別の例として、ローカル照明システム１１０のユーザが、リモート照明システム１１０の友達とインスタントメッセージ又はチャットを行う為にタブレットコンピュータ１０６を使用中であると仮定する。ユーザは、ｘを超えるメッセージが交換された（又は別の基準が満たされた）時、ローカル照明システム１００の照明設定が、例えばタブレットコンピュータ１０６によって公開されるようにタブレットコンピュータ１０６を構成することができる。同様に、スマートフォン１１６は、ローカル照明システム１００の照明情報が公開された時点で、ローカル照明システム１００によって放射される光に似た光を放射するようにリモート照明システム１１０を移行させるように構成することができる。上記の会議通話例と同様に、「平均」照明シーンが作り出されるように、照明シーンを両者で変更することも可能である。これは、自動的に（例えば、ユーザ定義設定の結果）、又は例えば照明シーンフォローボタンをクリックすることによる、若しくは特定の「照明シーン」エモティコンを打ち込むことによる明示的要求に応じて生じることができる。ユーザらが距離を隔てて一緒にテレビゲームをしている間に、同様に機能性を提供することができる。
【００６８】
[0071]  実施形態によっては、タブレットコンピュータ１０６、スマートフォン１１６、又はウェアラブルコンピューティングデバイス等の別のポータブルコンピューティングデバイスは、現在の照明状態（照明システムによって又は自然光等の他の手段によって作り出されているか）を検知する及びそれらの検知された照明状態に関する情報を例えばソーシャルネットワーク１２２上で公開するように構成されてもよい。例えば、ユーザは、ユーザの場所におけるアンビエント光を検出する及びその光に関する情報を当該ユーザーのソーシャルネットワークプロフィールに公開する（例えば、「掲示する」）ように、当該ユーザーのスマートウォッチ又はスマートグラスを構成してもよい。当該ユーザーのソーシャルネットワークコンタクトは、これらの更新情報をリアルタイムで「フォローする」ことができる、及び彼らの照明システムを任意の時点でユーザによって検知された光に似た光を放射するように構成することができる。従って、ユーザの森でのハイキングが晴れの中始まったが、後に雨となった場合、ユーザの照明状態をフォローしているソーシャルネットワークコンタクトは、自分の照明システムが、例えば最初に日光に似て、次に雨に似た光を放射することによって、ユーザの検知された照明状態と同期しようと試みることを目撃することができる。
【００６９】
[0072]  ある特定のユーザが、複数のリモート照明システムを同時にフォローするように当該ユーザーの照明システムを構成することができる。そのような場合、ユーザ自身の照明システムは、これらの複数のリモート照明システムによって放射される光の組み合わせに基づいて、それの光源に選択的に電圧を加えることができる。例えば、実施形態によっては、ユーザの照明システムは、「社会的距離」をリモート照明システムに割り当てることができる。非常に親しいソーシャルネットワークコンタクト（例えば家族）に関連付けられたリモート照明システムの照明設定は、単なる知人に関連付けられたリモート照明システムの照明設定よりも重く重み付けすることができる、及びその結果ユーザ自身の照明システムにより大きく影響を与えることができる。ユーザは更に、特定のコンタクトに関連付けられたリモート照明システムの照明設定を「拒否する」ことができ、これは、社会的距離を増大し得る及び将来これらのコンタクトの照明システムを軽く重み付けさせ得る。追加的又は代替的に、照明システム間の地理的距離が、それらのそれぞれの照明設定に対してどの程度の重みが割り当てられるかを決定する為に使用されてもよい。
【００７０】
[0073]  図５は、タブレットコンピュータ１０６、スマートフォン１１６、又は他の類似のデバイス等のコンピューティングデバイスにおいて配備され得る構成要素例を示す。１つ又は複数のプロセッサ５２０は、メモリ５２２、ユーザインタフェース５２３（例えば、ボタン、ノブ、タッチスクリーン等）、及び１つ又は複数の通信インタフェース５２４と動作可能に結合されてもよい。１つ又は複数のプロセッサは、様々なマイクロプロセッサ及び／又は特定用途向け集積回路（ＡＳＩＣ）の形態を取ってもよい。メモリ５２２は、方法３００及び４００を含む、本明細書に記載された様々な技術の選択された態様を１つ又は複数のプロセッサ５２０に行わせるように構成された命令を保存することができる。メモリ５２２は、ディスク型、固体（例えば、フラッシュ、ＲＡＭ）等を含む様々な形態を取り得る。通信インタフェース５２４は、限定されることはないが、ＷｉＦｉ（登録商標）、Bluetooth（登録商標）、ＮＦＣ、ＲＦＩＤ、符号化光、ZigBee（登録商標）、Ethernet（登録商標）等を利用するように構成されたインタフェースを含み得る。上述の通り、１つ又は複数のプロセッサ５２０は、１つ又は複数のコンピューティングネットワーク１２０上で、１つ又は複数の通信インタフェース５２４を用いて、ソーシャルネットワーク１２２又は光共有システム１２４と通信するように構成されてもよい。同様に、１つ又は複数のプロセッサ５２０は、１つ又は複数の通信インタフェース５２４を用いて、１つ又は複数のブリッジ１０２／１１２と通信してもよい。光センサ５２６は、１つ又は複数のプロセッサ５２０と動作可能に結合されてもよい。光センサ５２６は、限定されることはないが、フォトレジスタ、カメラ等を用いることを含む様々な方法で実現されてもよい。
【００７１】
[0074]  幾つかの発明実施形態を本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなす。より一般的には、当業者であれば、本明細書にて説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外に実施可能であることを理解されるべきである。本開示の発明実施形態は、本明細書にて説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示の本発明の範囲内に含まれる。
【００７２】
[0075]  本明細書にて定義されかつ用いられた定義はすべて、辞書の定義、参照することにより組み込まれた文献における定義、及び／又は、定義された用語の通常の意味に優先されて理解されるべきである。
【００７３】
[0076]  本明細書及び特許請求の範囲にて使用される「ａ」及び「ａｎ」の不定冠詞は、特に明記されない限り、「少なくとも１つ」を意味するものと理解されるべきである。
【００７４】
[0077]  本明細書及び特許請求の範囲にて使用される「及び／又は」との表現は、等位結合された要素の「いずれか又は両方」を意味すると理解すべきである。すなわち、要素は、ある場合は接続的に存在し、その他の場合は離接的に存在する。「及び／又は」を用いて列挙される複数の要素も同様に解釈されるべきであり、すなわち、要素のうちの「１つ以上」が等位結合される。「及び／又は」節によって具体的に特定された要素以外の他の要素も、それが具体的に特定された要素に関連していても関連していなくても、任意選択的に存在してよい。
【００７５】
[0078]  本明細書及び特許請求の範囲に用いられるように、「又は」は、上に定義したような「及び／又は」と同じ意味を有すると理解すべきである。例えば、リストにおけるアイテムを分ける場合、「又は」、又は、「及び／又は」は包括的と解釈される。すなわち、多数の要素又は要素のリストのうちの少なくとも１つを含むが、２つ以上の要素も含み、また、任意選択的に、リストにないアイテムを含むと解釈される。
【００７６】
[0079]  本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。
【００７７】
[0080]  請求項において、括弧内に登場する任意の参照符号は、便宜上、提供されているに過ぎず、当該請求項をいかようにも限定することを意図していない。
【００７８】
[0081]  さらに、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【図１】
0006430522.tif 000002
【図２】
0006430522.tif 000003
【図３】
0006430522.tif 000004
【図４】
0006430522.tif 000005
【図５】
0006430522.tif 000006